(57)【要約】【課題】ドット妨害除去能力が高く、高品位のＹ信号を得ることができる。【解決手段】搬送色信号を分離し、さらに基準複合映像信号と、１ライン分進んだ進み複合映像信号及び１ライン分遅れた遅延複合映像信号を同時化して出力するＣ分離回路と、色相変化が大きい高域搬送色成分を取り出す高域搬送色成分抽出フィルタと、前記高域搬送色成分と前記搬送色成分を加算し、この加算結果を、前記基準複合映像信号から減算処理し、第１の輝度信号を出力する第１の演算回路と、基準複合映像信号、先行進み複合映像信号及び遅延複合映像信号のそれぞれから前記搬送色信号を減算し、中間値である第２の輝度信号を選択して導出する第２の演算回路と、前記高域搬送色成分が基準値より大きいときは、前記第２の輝度信号を選択出力し、基準値より小さいときは第１の輝度信号を選択導出する選択回路を有する。【選択図】      図１
2008011398.tif 000002
【特許請求の範囲】
【請求項１】
櫛形フィルタを用いて搬送色信号を分離するとともに、基準となる基準複合映像信号とこの基準複合映像信号に対して１ライン分進んだ進み複合映像信号及び１ライン分遅れた遅延複合映像信号を同時化して出力するＣ分離回路と、
前記搬送色信号の色相変化が大きい高域搬送色成分を取り出す高域搬送色成分抽出フィルタと、
前記高域搬送色成分と前記搬送色成分を加算し、この加算結果を、前記基準複合映像信号から減算処理し、第１の輝度信号を出力する第１の演算回路と、
前記基準複合映像信号、先行進み複合映像信号及び遅延複合映像信号のそれぞれから前記搬送色信号を減算して、複数の同時化された輝度信号を生成して垂直フィルタリングすることにより、第２の輝度信号を生成する第２の演算回路と、
前記高域搬送色成分が基準値より大きいときは、前記第２の輝度信号を選択出力し、基準値より小さいときは第１の輝度信号を選択導出する選択回路と
を有する輝度信号搬送色信号分離回路。
【請求項２】
前記高域搬送色成分抽出フィルタは、前記搬送色信号をその所定量遅延するｆｓｃ遅延器と、前記搬送色信号から前記遅延器の出力を減算する減算器を有する請求項１記載の輝度信号搬送色信号分離回路。
【請求項３】
前記第1の演算回路は、
前記高域搬送色信号を増幅する増幅器と、
前記増幅器の出力を前記搬送色信号に加算する加算器と、
前記加算器の出力を、前記基準複合映像信号から減算し、前記第1の輝度信号を得る減算器と
を有する請求項１記載の輝度信号搬送色信号分離回路。
【請求項４】
前記第２の演算回路は、
前記基準複合映像信号から前記搬送色信号を減算する減算器と、
前記１ライン分進んだ進み複合映像信号及び１ライン分遅れた遅延複合映像信号からそれぞれ前記搬送色信号を減算する第1、第２の加算器と、
前記減算器、前記第1、第２の加算器から得られた輝度信号の中から中間値に当たる輝度信号を前記第２の輝度信号として取り出す中間値回路と
を有する請求項１記載の輝度信号搬送色信号分離回路。
【請求項５】
前記選択回路は、
比較回路と、前記第1、第２の輝度信号が入力されるスイッチとを有し、
前記比較回路は、前記高域搬送色信号Aと、基準値Bとを比較し、（A>B）のときには、前記第２の輝度信号が選択導出されるように、前記スイッチを制御する
請求項１記載の輝度信号搬送色信号分離回路。
【請求項６】
前記基準値Bは、外部から任意に調整可能である請求項１記載の輝度信号搬送色信号分離回路。
【請求項７】
櫛形フィルタを用いて搬送色信号を分離するとともに、基準となる基準複合映像信号とこの基準複合映像信号に対して１ライン分進んだ進み複合映像信号及び１ライン分遅れた遅延複合映像信号を同時化して出力するＣ分離回路と、
前記搬送色信号の色相変化が大きい高域搬送色成分を取り出す高域搬送色成分抽出フィルタと、
前記基準複合映像信号、先行進み複合映像信号及び遅延複合映像信号のそれぞれから前記搬送色信号を減算し、第１、第２、第３の輝度信号を生成し、これら輝度信号の中間値である第４の輝度信号を選択して導出する中間値処理演算回路と、
前記高域搬送色成分と前記搬送色成分を加算し、この加算結果を、前記第１の輝度信号から減算処理し、第５の輝度信号を出力する減算処理演算回路と、
前記高域搬送色成分が基準値より大きいときは、前記第４の輝度信号を選択出力し、基準値より小さいときは第５の輝度信号を選択導出する選択回路と
を有する輝度信号搬送色信号分離回路。
【請求項８】
櫛形フィルタを用いて搬送色信号を分離するとともに、基準となる基準複合映像信号とこの基準複合映像信号に対して１ライン分進んだ進み複合映像信号及び１ライン分遅れた遅延複合映像信号を同時化して生成し、
高域搬送色成分抽出フィルタにより前記搬送色信号の色相変化が大きい高域搬送色成分を取り出し、
第１の演算回路により、前記高域搬送色成分と前記搬送色成分を加算し、この加算結果を、前記基準複合映像信号から減算処理し、第１の輝度信号を生成し、
第２の演算回路により、前記基準複合映像信号、先行進み複合映像信号及び遅延複合映像信号のそれぞれから前記搬送色信号を減算し、複数の同時化された輝度信号を垂直フィルタリングすることにより、第２の輝度信号を生成し、
選択回路により、前記高域搬送色成分が基準値より大きいときは、前記第２の輝度信号を選択出力し、基準値より小さいときは第１の輝度信号を選択導出する
を有する輝度信号搬送色信号分離方法。
【請求項９】
前記第２の輝度信号は、前記基準複合映像信号、先行進み複合映像信号及び遅延複合映像信号のそれぞれから前記搬送色信号を減算し、中間値として選択された信号である請求項８記載の輝度信号搬送色信号分離方法。
【請求項１０】
前記基準値は、外部から調整される請求項８記載の輝度信号搬送色信号分離方法。
【発明の詳細な説明】
【技術分野】
【０００１】
この発明は、輝度信号色搬送信号分離回路（以下ＹＣ分離回路と略称する）及び方法に関するものであり、ドット妨害除去能力が高くなるように改善された回路である。
【背景技術】
【０００２】
従来からＹＣ分離回路の提案は各種の提案がなされている（例えば特許文献１）。ＹＣ分離回路は、複合映像信号（コンポジット信号）から輝度信号（以下Ｙ信号と略称する）と、色搬送信号（以下Ｃ信号と略称する）とを分離する回路である。
【０００３】
ＹＣ分離の方法として、水平周期毎にＣ信号が反転していることを利用する方法がある。この方法では、水平ライン間で、差をとりＣ信号を抽出し、コンポジット信号から抽出したＣ信号を差し引き、Ｙ信号を得る。この演算処理において、Ｙ信号にＣ信号が混入又は残存すると、ドット妨害が発生しやすくなる。ドット妨害は、色が不連続な部分に、映像に小さいドットが現れる現象である。
【特許文献１】特開２００６−２５０９８号
【発明の開示】
【発明が解決しようとする課題】
【０００４】
ＹＣ分離回路には、さらなる課題がある。発明者は、コンポジット信号において、色相変化が大きな部分において特にドット妨害が発生しやすい点に着目した。
【０００５】
この発明に係る一実施の形態では、ドット妨害除去能力が高く、高品位のＹ信号を得ることができる輝度信号搬送色信号分離回路を提供することを目的とする。
【課題を解決するための手段】
【０００６】
この発明に係る一実施の形態では、櫛形フィルタを用いて搬送色信号を分離するとともに、基準となる基準複合映像信号とこの基準複合映像信号に対して１ライン分進んだ進み複合映像信号及び１ライン分遅れた遅延複合映像信号を同時化して出力するＣ分離回路と、前記搬送色信号の色相変化が大きい高域搬送色成分を取り出す高域搬送色成分抽出フィルタと、前記高域搬送色成分と前記搬送色成分を加算し、この加算結果を、前記基準複合映像信号から減算処理し、第１の輝度信号を出力する第１の演算回路と、基準複合映像信号、先行進み複合映像信号及び遅延複合映像信号のそれぞれから前記搬送色信号を減算し、中間値である第２の輝度信号を選択して導出する第２の演算回路と、前記高域搬送色成分が基準値より大きいときは、前記第２の輝度信号を選択出力し、基準値より小さいときは第１の輝度信号を選択導出する選択回路を有する。
【発明の効果】
【０００７】
上記の実施形態によると、色相変化が大きい部分のドット妨害を低減することができ、一層の画質向上を得ることができる。
【発明を実施するための最良の形態】
【０００８】
以下、図面を参照しながら、幾つかの実施の形態を説明する。図１はこの発明の一実施の形態である。この輝度信号搬送色信号分離回路は、大きく分けると、Ｃ分離回路４０と、高域搬送色成分抽出フィルタ４１と、第１の演算回路４２と、第２の演算回路４３と、選択回路４４とを有する。
【０００９】
この発明に係る基本的な構成は、Ｃ分離回路４０と、第２の演算回路４３で実現される。しかし、図１では、高域搬送色成分抽出フィルタ４１、第１の演算回路４２、選択回路４４を組み合わせて示している。以下各部について説明する。
【００１０】
Ｃ分離回路４０には、複合映像信号が入力される。このＣ分離回路４０は、櫛形フィルタを用いて搬送色信号（Ｃ信号）を分離する。さらに、基準となる基準複合映像信号Ｃ１とこの基準複合映像信号に対して１ライン分進んだ進み複合映像信号Ｃ２と、１ライン分遅れた遅延複合映像信号Ｃ０を同時化して出力する。
【００１１】
高域搬送色成分抽出フィルタ４１は、搬送色信号（Ｃ信号）の色相変化が大きい高域搬送色成分を取り出す。
【００１２】
第１の演算回路４２は、高域搬送色成分と搬送色成分（Ｃ信号を）を加算し、この加算結果を、基準複合映像信号Ｃ１から減算処理し、第１の輝度信号を出力する。第２の演算回路４３は、基準複合映像信号Ｃ１、先行進み複合映像信号Ｃ２及び遅延複合映像信号Ｃ０のそれぞれから搬送色信号（Ｃ信号）を減算し、それぞれの結果の中間値の信号を選択する。そしてこの信号を第２の輝度信号として出力する。この第２の演算回路４３は、基本的には高域垂直フィルタとして機能している。
【００１３】
そして選択回路４４は、高域搬送色成分が基準値より大きいときは、第２の輝度信号を選択出力し、基準値より小さいときは第１の輝度信号を最終輝度信号として選択導出する回路である。
【００１４】
次に、各回路を具体的に説明する。入力端子１０に供給された複合映像信号は、直列接続されたライン遅延器１１、１２に入力される。ライン遅延器１１の入力側の複合映像信号をＣ０、出力側の複合映像信号をＣ１、ライン遅延器１２の出力側の複合映像信号をＣ２とする。複合映像信号Ｃ１は基準複合映像信号とする。
【００１５】
複合映像信号をＣ０、複合映像信号Ｃ１、複合映像信号をＣ２は、同時化されてＣ分離器１３に入力される。Ｃ分離器１３は、例えば複合映像信号Ｃ１，Ｃ０の差を２で割った値と、複合映像信号Ｃ１，Ｃ２の差を２で割った値と、の平均値を分離したＣ信号として導出する。
【００１６】
分離されたＣ信号は、ｆｓｃ遅延器１４と減算器１５に入力される。ｆｓｃ遅延器１４は、色搬送波の例えば１サイクル分（０．５サイクル、或いは２サイクルであってもよい）の所定遅延量を持つ回路である。減算器１５は、Ｃ信号から遅延したＣ信号を減算処理する。この結果、減算器１５に入力する２つの信号間で、色相のずれ無い部分では、出力は０であるが、色相がずれている場合にはそのずれ成分が出力される。つまり色相が大きく変化している部分が検出される。別の言い方をすれば、色搬送波成分の高域の成分（高域色搬送波成分）が取り出されることになる。
【００１７】
この高域搬送色成分は、増幅器１６で利得調整され、加算器１７に入力されて搬送色信号（Ｃ信号）に加算される。つまり、高域成分が強調された高域強調Ｃ信号となる。そして、この加算器１７の出力（高域強調Ｃ信号）が、減算器１８に入力され、複合映像信号Ｃ１から減算される。これにより、減算器１８からは、色相が大きく変化する部分で生じがちなドット妨害を抑圧した高品位の輝度信号が得られる。減算器１８からの輝度信号を第１の輝度信号と称する。第１の輝度信号は選択回路４４のスイッチ２４の一方端に入力される。
【００１８】
しかし、上記の減算器１８ですべてのドット妨害を抑圧することは困難である。特に色相変化が大きく変化し、しかもその色相レベルが高いような場合は、減算器１８で複合映像信号Ｃ１に含まれる高域搬送色成分を除去することが困難な場合がある。レベルの高い高域搬送色成分を除去するために、増幅器１６のゲインを大きくして、減算器１８における高域搬送色成分に対するキャンセル能力を高めることが考えられる。しかし、増幅器１６のゲインを大きくすると、かえって高域強調Ｃ信号が不安定な信号（Ｃ信号と高域成分のアンバランス）となり、減算器１８で複合映像信号Ｃ１に含まれる搬送色成分を除去する能力が低下する。
【００１９】
そこで減算器１５から出力される高域搬送色成分がさらに大きなレベルであり、減算器１８で抑圧しきれないような場合は、次に述べる対策により、ドット妨害を抑圧し、高品位の輝度信号が得られる。
【００２０】
即ち、第２の演算器４３において、複合映像信号Ｃ０，Ｃ１，Ｃ２は、それぞれ加算器１９、減算器２０、加算器２１の各一方の入力端子に入力される。加算器１９、減算器２０、加算器２１の各他方の入力端子には、先のＣ分離回路４０からＣ信号が入力されている。これにより、加算器１９、減算器２０、加算器２１からは、搬送色信号を減算した輝度信号Ｙ０，Ｙ１，Ｙ２が得られる。加算器１９、減算器２０、加算器２１を用いたのは、搬送色信号がライン毎に位相反転しているからである。
【００２１】
輝度信号Ｙ０，Ｙ１，Ｙ２は、中間値回路２２に入力され、ここで、中間値の輝度信号が選択されて導出される。この輝度信号を第２の輝度信号と称する。第２の輝度信号は選択回路４４のスイッチ２４の他方端に入力される。
【００２２】
スイッチ２４は、次のような条件のときに、第２の輝度信号を選択して導出する。即ち、比較器２３において、減算器１５から得られる高域搬送色成分Ａが基準値Ｂと比較される。そしてＡ＞Ｂのときは、スイッチ２４が制御され、第２の輝度信号を選択して導出する。
【００２３】
図２には、中間値回路２２の具体例を示している。輝度信号Ｙ０とＹ１が加算器３１に入力されて加算され、また、輝度信号Ｙ１とＹ２が加算器３２に入力されて加算される。加算器３１と、３２の出力は、それぞれ（１／２）割り算器３３、３４で割り算されてスイッチ３８に入力される。またこのスイッチ３８には、輝度信号Ｙ０も入力されている。スイッチ３８は次に述べる比較及び並べ変え処理により３つの入力のうち中間値に相当する輝度信号を選択して出力する。
【００２４】
比較及び並べ替え回路３５には、（１／２）割り算器３３の出力輝度信号と輝度信号Ｙ１と（１／２）割り算器３４の出力輝度信号が入力されている。比較及び並べ替え回路３５は、入力信号を比較し、小さい順に並べ替えて、中間値を決定する。そして中間値の輝度信号がスイッチ３８で選択されるように、スイッチ３８を制御する。
【００２５】
図３を参照し、今、輝度信号にドット妨害が発生しているものとして、図２の中間値回路２２の動作を説明する。図３において、輝度信号Ｙ０，Ｙ１，Ｙ２のドット妨害成分をそれぞれＡ，Ｂ，Ｃとする。ここで、今、ドット妨害の振幅を＋４、−４として計算すると、
［（Ａ＋Ｂ）／２］＝［（４＋（−４））／２］＝０
−４
［（Ｂ＋Ｃ）／２］＝［（−４＋４）／２］＝０
となる。
【００２６】
この値が比較及び並べ替え回路３５とスイッチ３８に入力される。上記の値を小さい順に並べ替えると、−４，０，０である。そして中間値は０である。したがって、比較及び並べ替え回路３５は、スイッチ３８を制御し、スイッチ３８が（１／２）割り算器３３又は３４の出力のいずれかを選択するように制御する。上記したように第２の演算回路４３の出力は、ドット妨害を抑圧した信号となっている。
【００２７】
図４（Ａ）−（Ｄ）には、搬送色信号の位相変化の大きい部分を含むカラーバー信号が、ＹＣ分離回路に入力された場合、各部で処理された信号波形の例を示している。図４（Ａ）はカラーバー信号である。図４（Ｂ）は、ＹＣ分離された後のＹ信号の例であるが、ドット妨害除去をしなかった場合の波形である。図４（Ｃ）は、水平方向の色相変化が大きい成分、つまり高域搬送色成分である。この成分は、図１の減算器１５から出力される。この成分が増幅されて、図４（Ｂ）のＹ信号から減算されると、図４（Ｄ）の如く、ドット妨害が抑圧される。このＹ信号は、第１の輝度信号である。
【００２８】
図５（Ａ）−（Ｃ）は、さらに、第２の演算回路４３及び選択回路４４が動作した場合の信号波形を示している。即ち、図５（Ａ）はカラーバー信号であり、図５（Ｂ）は、ＹＣ分離された後のＹ信号の例であるが、ドット妨害除去をしなかった場合の波形である。そこで、第２の演算回路４３及び選択回路４４が動作した場合は、図５（Ｃ）に示すように、ドット妨害が除去されたＹ信号を第２の演算回路４３から得ることができる。このＹ信号が第２の輝度信号である。
【００２９】
選択回路４４は、ドット妨害となる搬送色成分が閾値Ｂより大きい場合は、上記したように第２の輝度信号を選択して出力する。つまり、基準ラインとその前後のラインの輝度信号の中から中間値の輝度信号が選択される。この機能は、垂直方向のノイズを低減するメディアンフィルタとしての機能であり、垂直方向の処理でドット妨害を抑圧したことになる。なお、先の基準値は、外部から調整可能とし、最適な基準値Ｂが設定される。
【００３０】
図６は、この発明の他の実施の形態である。図１の構成と異なる部分を説明する。減算器２０の出力Ｙ信号が、減算器１８に入力される。そしてここでは、Ｙ信号に残存しているドット妨害成分が減算処理される。その他の部分は、図１と同じであるから説明は省略する。なおこの図では、基準複合映像信号、先行進み複合映像信号及び遅延複合映像信号のそれぞれから搬送色信号を減算し、第１、第２、第３の輝度信号を生成し、これら輝度信号の中間値である第４の輝度信号を選択して導出する演算回路を中間値処理演算回路と称する。また高域搬送色成分と搬送色成分を加算し、この加算結果を、第１の輝度信号から減算処理し、第５の輝度信号を出力する演算回路を減算処理演算回路と称することにする。
【００３１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３２】
【図１】この発明に係る一実施例による輝度信号搬送色信号分離回路の構成例を示す図である。
【図２】図１の中間値回路の具体的構成例を示す図である。
【図３】図２の中間値回路の動作を説明する為に示したドット妨害成分を示す図である。
【図４】図１の回路の動作を説明する為に示した信号波形図である。
【図５】図１の回路の動作とその効果を説明する為に示した信号波形図である。
【図６】この発明に係る他の実施例による輝度信号搬送色信号分離回路の構成例を示す図である。
【符号の説明】
【００３３】
１１、１２…ライン遅延器、１３…C分離回路、１４…ｆｓｃ遅延器、１５…減算器、１６…増幅器、１７…加算器、１８…減算器、１９，２１…加算器、２０…減算器、２２…中間値回路、２３…比較回路、２４…スイッチ、４０…C分離回路、４１…高域搬送色成分抽出フィルタ、４２…第１の演算回路、４３…第２の演算回路、４４…選択回路。
【図１】
2008011398.tif 000003
【図２】
2008011398.tif 000004
【図３】
2008011398.tif 000005
【図４】
2008011398.tif 000006
【図５】
2008011398.tif 000007
【図６】
2008011398.tif 000008